(57)【要約】【課題】  スキャナ等の原稿読取装置において、紙詰まりが発生しても、最初から原稿読み直しせずとも、読取り原稿を１個の電子的画像ファイルにできるようにする。【解決手段】  原稿読取手段１１は、シート状原稿７から情報を光学的に読み取る。自動給紙手段９は、原稿読取手段１に対してシート状原稿７を１枚毎給紙するとともにその紙詰まりや解除を検出する。電子化処理手段１３は読取られた情報を電子的画像データに変換する。記憶手段１５は電子的画像データを記憶する。記憶制御手段１７は、自動給紙手段９が紙詰まりを検出しないとき、読取られた情報を１枚毎に電子的画像データとして記憶手段１５へ記憶制御し、自動給紙手段９が紙詰まりを検出したとき、紙詰まり解除検出後に読取られた１枚分のシート状原稿７の電子的画像データから順次記憶制御する。【選択図】図１
2007067523.tif 000002
【特許請求の範囲】
【請求項１】
情報が視覚的に描かれたシート状原稿から当該情報を光学的に読取る原稿読取手段と、
この原稿読取手段に対して複数の前記シート状原稿を１枚毎に給紙するとともに、前記シート状原稿の紙詰まりおよび解除の検出が可能な自動給紙手段と、
読取られた前記情報を電子的画像データに変換処理する電子化処理手段と、
前記電子的画像データを記憶する記憶手段と、
前記自動給紙手段が１枚毎の給紙における前記紙詰まりを検出しないとき、読取られた前記情報を前記シート状原稿１枚毎に前記電子的画像データとして前記記憶手段へ順次記憶するよう変換および記憶制御し、前記自動給紙手段が前記紙詰まりを検出したとき、前記シート状原稿の紙詰まり解除検出後に読取られた１枚分の前記シート状原稿に基づく前記電子的画像データから前記記憶手段へ順次記憶するよう変換および記憶制御する処理制御手段と、
を具備することを特徴とする原稿読取装置。
【請求項２】
前記自動給紙手段は給紙する前記シート状原稿有無の検出が可能に形成され、前記処理制御手段は、セットされた前記シート状原稿のないことを前記自動給紙手段が検出したとき、前記記憶手段に記憶された複数枚分の前記電子的画像データを１個のファイルとして出力制御機能を有する請求項１記載の原稿読取装置。
【請求項３】
前記処理制御手段は、前記記憶手段に記憶された複数枚分の前記電子的画像データを１個のファイルとして出力制御したとき、前記記憶手段に記憶された前記電子的画像データを消去制御する機能を有する請求項２記載の原稿読取装置。
【請求項４】
情報が視覚的に描かれた複数枚分のシート状原稿から当該情報を光学的に読取って１個のファイルとする手段を具備する原稿読取制御用コンピュータにおいて、
前記シート状原稿から当該情報を光学的に読取る処理と、
前記シート状原稿を読取る原稿読取手段に対して複数の前記シート状原稿を１枚毎に給紙するとともに前記シート状原稿の紙詰まりおよび解除を検出する処理と、
読取られた前記情報を電子的画像データに変換する処理と、
前記自動給紙手段において１枚毎の紙詰まりを検出しないとき、読取られた前記情報を前記シート状原稿１枚毎に前記電子的画像データとして順次記憶するよう変換および記憶制御し、前記自動給紙手段が前記紙詰まりを検出したとき、前記シート状原稿の紙詰まり解除検出後に読取られた１枚分の前記シート状原稿に基づく前記電子的画像データから順次記憶するよう変換および記憶制御する処理と、
を実行するための原稿読取プログラム。
【発明の詳細な説明】
【技術分野】
【０００１】
本発明は原稿読取装置に係り、例えば、情報が視覚的に描かれた紙原稿等のようなシート状原稿から当該情報を光学的に読取る例えばスキャナ等の原稿読取装置および原稿読取プログラムに関する。
【背景技術】
【０００２】
近年、画像データの利用要求の拡大に伴い、図３に示すように、スキャナ等の原稿読取装置１をパソコン３等にケーブル５で接続し、紙面に描かれた文字や図形等の情報が描かれたシート状原稿７（図４参照）を原稿読取装置１で読取って電子データに変換し、パソコン３等で利用するシステムが普及している。
【０００３】
従来、この種の原稿読取装置１は、ＴＷＡＩＮ（Technology Without Any Interested Name）と称される入出力インターフェースの下で動作するものが一般的であり、読取った情報の電子データをパソコン３へ送信して例えばＰＤＦ（Portable Document Format）形式ファイルに変換して利用することが行われている。
【０００４】
そして、原稿読取装置１においては、複数頁のシート状原稿７を連続して読取る場合、自動給紙装置（図示せず。）を搭載し、シート状原稿７を一枚読取るたびに読取り電子データをパソコン３へ送信し、例えばＴＷＡＩＮ対応動作の下で紙詰まり信号が出力された場合、又は所定の期間経過しても読取り電子データが送られて来ない場合、パソコン３ではそれまでの複数頁のシート状原稿７を一個のＰＤＦファイルとして保存している。
【０００５】
なお、この分野の特許文献としては特開２００２−３６６９２８号公報（特許文献１）がある。
【特許文献１】特開２００２−３６６９２８号公報
【発明の開示】
【発明が解決しようとする課題】
【０００６】
しかしながら、上述したように、連続して読取ったシート状原稿７を一枚毎の電子データとしてパソコン３へ送信し、ＴＷＡＩＮ対応動作に基づく紙詰まり信号が出力された場合や所定の期間経過しても読取り電子データが送られて来ない場合、複数頁のシート状原稿７を一個のＰＤＦファイルとして保存する構成では、以下のような欠点がある。
【０００７】
すなわち、自動給紙装置１において紙詰まりが発生したり、何らかの原因によって読取装置１自体で読取り中の動作が停止した場合、図４に示すように、それまでの読取り頁（実線）に関する電子データが一個のＰＤＦファイルＢとして保存される一方、正常な読取り動作に復帰した後に再開された読取り頁（破線）以降の電子データが別のＰＤＦファイルＣとして保存されてしまう難点があった。
【０００８】
そのため、複数頁のシート状原稿７を１個のＰＤＦファイルＡにまとめたい場合は、再度最初から読取り直すか、分割されたファイルＢ、Ｃを別のソフトウェアを使って結合操作する必要があり、操作が面倒であった。
【０００９】
本発明はこのような課題を解決するためになされたもので、複数枚のシート状原稿の読取り中に紙詰まり等が発生しても、最初から原稿の読直しをせずとも、読取り原稿を１個の電子ファイルにまとめることが可能な原稿読取装置および原稿読取プログラムの提供を目的とする。
【課題を解決するための手段】
【００１０】
そのような課題を解決するために本発明の原稿読取装置は、シート状原稿から情報を光学的に読取る原稿読取手段と、この原稿読取手段に対して複数のシート状原稿を１枚毎に給紙するとともにそれらシート状原稿の紙詰まりおよび解除の検出が可能な自動給紙手段と、読取られた情報を電子的画像データに変換処理する電子化処理手段と、それら電子的画像データを記憶する記憶手段と、その自動給紙手段が１枚毎の給紙における紙詰まりを検出しないとき、読取られたそれら情報をシート状原稿１枚毎に電子的画像データとしてその記憶手段へ順次記憶するよう変換および記憶制御し、その自動給紙手段が紙詰まりを検出したとき、そのシート状原稿の紙詰まり解除検出後に読取られた１枚分のシート状原稿に基づく電子的画像データからその記憶手段へ順次記憶するよう変換および記憶制御する処理制御手段とを具備している。
【００１１】
また、本発明では、上記自動給紙手段は給紙するシート状原稿有無の検出が可能に形成され、上記処理制御手段は、セットされたシート状原稿のないことをその自動給紙手段が検出したとき、その記憶手段に記憶された複数枚分の電子的画像データを１個のファイルとして出力制御するよう形成すると良い。
【００１２】
しかも、本発明では、上記処理制御手段は、その記憶手段に記憶された複数枚分の電子的画像データを１個のファイルとして出力制御したとき、その記憶手段に記憶されたその電子的画像データを消去制御するよう形成すると良い。
【００１３】
そして、本発明に係るプログラムは、複数枚分のシート状原稿から情報を光学的に読取って１個のファイルとする原稿読取制御用コンピュータにおいて、そのシート状原稿から当該情報を光学的に読取る処理と、そのシート状原稿を読取る原稿読取手段に対してそれらシート状原稿を１枚毎に給紙するとともにそのシート状原稿の紙詰まりおよび解除を検出する処理と、読取られたその情報を電子的画像データに変換する処理と、その自動給紙手段において１枚毎の紙詰まりを検出しないとき、読取られたその情報をシート状原稿１枚毎に電子的画像データとして順次記憶するよう変換および記憶制御し、その自動給紙手段が紙詰まりを検出したとき、そのシート状原稿の紙詰まり解除検出後に読取られた１枚分のシート状原稿に基づく電子的画像データから順次記憶するよう変換および記憶制御する処理とを実行するものである。
【発明の効果】
【００１４】
このような構成の本発明の原稿読取装置および原稿読取プログラムでは、原稿読取手段にてシート状原稿から情報を光学的に読取り、自動給紙手段にて複数のシート状原稿を１枚毎自動的に給紙するとともにそれらシート状原稿の紙詰まりおよび解除の検出し、読取られた情報を電子化処理手段にて電子的画像データに変換処理し、それら電子的画像データを記憶手段に記憶し、その自動給紙手段が１枚毎の給紙における紙詰まりを検出しないとき、処理制御手段では、読取られたそれら情報をシート状原稿１枚毎に電子的画像データとしてその記憶手段へ順次記憶するよう変換および記憶制御するとともに、その自動給紙手段が紙詰まりを検出したとき、そのシート状原稿の紙詰まり解除検出後に読取られた１枚分のシート状原稿に基づく電子的画像データからその記憶手段へ順次記憶するよう変換および記憶制御するから、複数枚の原稿読取り中に紙詰まり等が発生しても、最初から原稿の読直しをせずとも、電子的画像データを蓄積する過程で複数頁の読取り原稿を１個の電子ファイルにまとめることが可能である。
【００１５】
また、給紙したそのシート状原稿の有無の検出が可能に上記自動給紙手段を形成し、その自動給紙手段がシート状原稿のないことを検出したとき、上記処理制御手段がその記憶手段に記憶された複数枚分の電子的画像データを１個のファイルとして出力制御するよう形成した構成では、出力端末側での処理を簡素化できる。
【００１６】
しかも、その記憶手段に記憶された複数枚分の電子的画像データを１個のファイルとして出力したとき、その記憶手段に記憶された電子的画像データを消去制御するよう上記処理制御手段を形成する構成では、次回の誤動作を防止できる利点がある。
【発明を実施するための最良の形態】
【００１７】
以下、本発明に係る実施の形態を図面を参照して説明する。なお、従来例と共通する部分には同一の符号を付す。
【００１８】
図１は本発明に係る原稿読取装置を示すブロック図である。
【００１９】
図１において、原稿読取装置１は従来公知の機能を有する例えばスキャナであり、本発明の特徴である自動給紙手段９、原稿読取手段１１、電子化処理手段１３、記憶手段１５および処理制御手段１７を具備し、図３に示したように、外部端末としての例えばパソコン３にケーブル５を介して接続されている。原稿読取装置１自体の基本的機能は、本発明の要部ではないので説明および図示を省略する。
【００２０】
原稿読取装置１は、ケーブル５による直接接続以外に、図示しない有線や無線ネットワークを介して複数台のパソコン３に接続される場合もある。
【００２１】
原稿読取手段１１は、情報が視覚的に文字、図形、模様として描かれたシート状原稿（図４参照）、例えば紙原稿から当該情報を光学的に読取るものであり、所定の位置に配置されたシート状原稿７に蛍光発光体（図示せず。）から光を当て、その反射光をＣＣＤ等の受光素子にて電気信号に光電変換するものであり、電子化処理手段１３に接続されている。
【００２２】
自動給紙手段９は、複数枚のシート状原稿７のセットが可能であり、自動給紙手段９自体又は原稿読取装置１に配置された図示しないスタートスイッチのオン操作により、それらシート状原稿７を一枚毎に原稿読取手段１１に自動的に送るとともに、各シート状原稿７にあって所定の速度で読取り位置へ自動送り制御する自動原稿搬送装置（ＡＤＦ）であり、原稿読取装置１自体に当初から組込まれたり、別に作られた装置が後から搭載される場合がある。
【００２３】
しかも、自動給紙手段９は、ＴＷＡＩＮ対応に基づき動作するもので、シート状原稿７の原稿送りに紙詰まりが生じたときに紙詰まり検出信号の出力が可能で、紙詰まりしたシート状原稿７が解除されたときにその解除の検出信号の出力が可能であるうえ、セットされた後のシート状原稿７の有無の検出（一般的には最終頁の検出）信号の出力も可能になっている。
【００２４】
なお、それらの検出機構は、従来公知の機械的スイッチや無接点センサ等を有して形成されており、操作者の明示的読取り動作中止機能を上述したスタートスイッチのオフ操作に持たせることも可能である。
【００２５】
電子化処理手段１３は記憶手段１５に接続されており、処理制御手段１７に制御の下に、電気信号に光電変換されたシート状原稿の各頁について１頁分溜まるまでの電子データを作業用メモリに格納するとともに、１頁分溜まった電子データを読出し、従来公知の手法によって電子的画像データに変換処理するものである。
【００２６】
記憶手段１５は、従来公知のフラシュメモリやハーディスク（ＨＤＤ）等からなる読書き可能なメモリであり、電子化処理手段１３の作業用メモリとしての機能を有し、処理制御手段１７に制御の下に、電子化処理手段１３からの１頁分の電子的画像データを順次記憶するものである。電子化処理手段１３の作業用メモリは記憶手段１５とは別個に形成可能である。
【００２７】
記憶手段１５は、処理制御手段１７に制御の下に、記憶された画像データを外部、例えばパソコン３に出力可能になっている。
【００２８】
処理制御手段１７は、自動給紙手段９、原稿読取手段１１、電子化処理手段１３および記憶手段１５に接続されており、これらを制御する以下の機能を有している。
【００２９】
すなわち、処理制御手段１７は、自動給紙手段９が紙詰まりを検出しないとき、読取られたシート状原稿７の情報を１枚毎に電子的画像データとして記憶手段１５に順次記憶制御し、自動給紙手段９が紙詰まりを検出したとき、紙詰まり解除検出後に読取られた１枚分のシート状原稿７に基づく電子的画像データから記憶手段１５に追加的に順次記憶制御する機能を有している。
【００３０】
また、処理制御手段１７は、自動給紙手段９がシート状原稿７のないことを検出したとき、又は操作者がスタートスイッチのオフ操作して明示的に読取り動作中止させたとき、記憶手段１５に記憶された複数枚分の電子的画像データを１個のファイルとしてパソコン３へ出力制御する機能を有している。
【００３１】
処理制御手段１７が複数枚分の電子的画像データをパソコン３に出力するデータ転送プロトコルとしては、例えばＦＴＰ（File Transfer Protocol）、ＳＭＴＰ(Simple Mail Transfer Protocol)、その他従来公知のものが使用される。
【００３２】
処理制御手段１７は、記憶手段１５に記憶された複数枚分の電子的画像データを１個のファイルとしてパソコン３に出力した後、作業用メモリを含む記憶手段１５に記憶された電子的画像データを消去制御する機能を有している。
【００３３】
なお、原稿読取装置１に配置された電子化処理手段１３、記憶手段１５および処理制御手段１７は、例えば図示しない種々の演算判断機能を有するＣＰＵ、このＣＰＵの動作プログラムを格納したＲＯＭおよび入出力インターフェースを有する読取制御用のマイクロコンピュータで構成されており、原稿読取装置１に搭載した従来機能を担うマイクロコンピュータにて兼用構成可能である。
【００３４】
そして、外部端末としてのパソコン３は、記憶手段１５から伝送された１個のファイル分の電子的画像データを、従来公知のファイル形式例えばＰＤＦファイルに変換する機能を有している。
【００３５】
次に、本発明に係る原稿読取装置の動作を図２のフローチャートを用いて説明する。なお、図２にではシート状原稿を単に原稿と略す。
【００３６】
シート状原稿７が自動給紙手段９にセットされて読取りスタートボタンが押下されると、処理制御手段１７の制御の下に、ステップＳ１にてシート状原稿７が検出され、次のステップＳ２において一枚毎（単位）でシート状原稿７の読取り処理が行われる。
【００３７】
続くステップＳ３では、処理制御手段１７がシート状原稿７の紙詰まりが発生したか否か監視され、紙詰まりが発生せずに良好に紙送りがなされていればステップＳ３がＮＯとなり、ステップＳ４にて原稿読取手段１１がシート状原稿７の情報を電気信号に光電変換するとともに１枚毎の電子的画像データに電子化変換する。
【００３８】
続くステップＳ５では１枚毎の電子的画像データを記憶手段１５へ順次記憶制御してステップＳ６に移る。
【００３９】
ステップＳ６では、次に読取るシート状原稿７の有無が監視され、残りのシート状原稿７がある場合、ステップＳ６がＹＥＳとなってステップＳ２に戻り、上述した処理を繰返す。
【００４０】
紙詰まりが発生して上述したステップＳ３がＹＥＳの場合には、ステップＳ７にて読取り処理を停止するとともにシート状原稿７が再セットされたか否か監視され、ＮＯの場合はステップ２７を繰返し、再セットされてＹＥＳの場合にはステップ２へ戻る。
【００４１】
残りのシート状原稿７がない場合、ステップＳ６がＮＯとなってステップＳ８にて電子的画像データ全体を１個のファイルとしてパソコン３へ送信する。
【００４２】
続くステップＳ９では、記憶手段１５に残っている電子的画像データを削除して終了する。なお、このステップＳ９はステップＳ１で実行可能でもある。
【００４３】
このような本発明に係る原稿読取装置は、原稿読取手段１１がシート状原稿７から情報を光学的に読取り、自動給紙手段９がその原稿読取手段１１に対して複数のシート状原稿７を１枚毎自動的に給紙するとともにそれらシート状原稿７の紙詰まりおよび解除の検出し、読取られた情報を電子化処理手段１３が電子的画像データに変換処理し、それら電子的画像データを記憶手段１５に記憶し、その自動給紙手段９が１枚毎の給紙における紙詰まりを検出しないとき、処理制御手段１７が、読取られたそれら情報をシート状原稿１枚毎に電子的画像データとしてその記憶手段１５へ順次記憶するよう変換および記憶制御するとともに、その自動給紙手段９が紙詰まりを検出したとき、その紙詰まり解除検出後に読取られた１枚分のシート状原稿７に基づく電子的画像データから記憶手段１５へ順次記憶するよう変換および記憶制御する構成となっている。
【００４４】
そのため、電子的画像データを頁毎に一時的に蓄積する過程で複数頁の読取り原稿を１個の電子ファイルにまとめることが可能で、シート状原稿７の連続読取り中に紙詰まりが発生しても、再度最初から読取り直しをする必要がなくなるし、途中から読取りを行っても一個のファイルにまとめることが可能で、操作性が向上する
【００４５】
さらに、ファイル数が増加しないことから、ファイルの結合処理といったその後の余分な処理も不要となり、この観点からも操作性が向上する。
【００４６】
また、自動給紙手段９がシート状原稿７のないことを検出したとき、処理制御手段１７が記憶手段１５に記憶された複数枚分の電子的画像データを１個のファイルとして出力制御するから、外部端末としてのパソコン３では、伝送された１個のファイル分の電子的画像データをそのまま使用してＰＤＦファイルに変換できるから、ファイル加工作成作業の効率が良好である。
【００４７】
しかも、記憶手段１５に記憶された複数枚分の電子的画像データを１個のファイルとして出力したとき、処理制御手段１７が記憶手段１５に記憶された電子的画像データを消去制御するから、次回、読取り動作をさせる場合に記憶手段１５内の初期化が不要で、誤動作を防げる利点がある。
【００４８】
そして、上述した実施の形態では、シート状原稿７の紙詰まりを例に説明したが、本発明では、何らかの原因によって読取装置１自体で読取り中の動作が頁途中で停止した場合等も紙詰まり等に含むものである。
【００４９】
また、本発明におけるシート状原稿７は紙原稿に限らず、プラスチックフィルムその他、シート状媒体に文字や図形等の情報が描かれたものに広く応用可能である。
【００５０】
ところで、本発明に係る原稿読取プログラムにつき言及すれば、複数枚分のシート状原稿７から当該情報を光学的に読取って１個のファイルとする手段を具備する制御用コンピュータにおいて、それらシート状原稿７から当該情報を光学的に読取る処理と、そのシート状原稿７を読取る原稿読取手段に対して複数のシート状原稿７を１枚毎給紙するとともに紙詰まりおよび解除を検出する処理と、読取られた情報を電子的画像データに変換する処理して記憶する処理と、原稿読取手段においてシート状原稿７の紙詰まりを検出しないとき、読取られた情報をシート状原稿１枚毎に電子的画像データとして順次記憶制御し、その紙詰まりを検出したとき、シート状原稿７の紙詰まり解除検出後に読取られた１枚分のシート状原稿７に基づく電子的画像データから順次記憶制御する処理とを実行するためのプログラムである。
【図面の簡単な説明】
【００５１】
【図１】本発明に係る原稿読取装置の実施の一形態を示すブロック図である。
【図２】図１の原稿読取装置の動作例を示すフローチャートである。
【図３】本発明の参考となる原稿読取装置を含む一般的システムを示す図である。
【図４】図３の原稿読取装置における動作を説明する図である。
【符号の説明】
【００５２】
１  原稿読取装置（スキャナ）
３  パソコン（端末）
５  ケーブル
７  シート状原稿
９  自動給紙手段
１１  原稿読取手段
１３  電子化処理手段
１５  記憶手段
１７  処理制御手段
Ａ、Ｂ、Ｃ  ファイル
【図１】
2007067523.tif 000003
【図２】
2007067523.tif 000004
【図３】
2007067523.tif 000005
【図４】
2007067523.tif 000006